(57)【要約】【課題】  遊動ガイドを竿杆に装着したときに、十分な回り止め性能を得ることができ、かつ、竿杆の強度や調子を変化させることを防止し、装着部の変形や癖付け、傷付きを防止できる釣竿を提供すること。【解決手段】  釣竿１０は、竿杆１２ａに着脱可能に装着される装着筒状部３２を有する遊動釣糸ガイド１８が配設されている。前記装着筒状部３２は、前記竿杆１２ａの長手方向に延びる突片３８を有する。前記竿杆１２ａには、前記突片３８が弾性変形により係脱可能な係合部２２が配設されている。【選択図】    図４
2011010578.tif 000002
【特許請求の範囲】
【請求項１】
竿杆に遊動釣糸ガイドが配設された釣竿であって、
前記装着筒状部は、前記竿杆の長手方向に延びる突片を有し、
前記竿杆には、前記突片が弾性変形により係脱可能な係合部が設けられていることを特徴とする釣竿。
【請求項２】
前記突片と前記竿杆の係合部は、いずれか一方に凸部を、他方に凹部を設けて形成したことを特徴とする請求項１に記載の釣竿。
【請求項３】
前記突片は、前記装着筒状部から前記竿杆の後方に向けて突出していることを特徴とする請求項１又は請求項２に記載の釣竿。
【請求項４】
前記突片は、前記装着筒状部に形成した凹部内に設けられていることを特徴とする請求項１乃至請求項３のいずれか1つに記載の釣竿。
【発明の詳細な説明】
【技術分野】
【０００１】
この発明は、竿杆に沿って移動する遊動ガイドを有する釣竿に関する。
【背景技術】
【０００２】
従来から釣糸ガイド付きの振り出し竿などの穂先竿に遊動ガイドが配設されていることがある。これらの遊動ガイドは、遊動ガイドの装着筒状部に竿杆を挿通することで移動可能に取り付けられ、釣竿を使用するときは、遊動ガイドをテーパを有する竿杆の太径部（後端）側に移動させることで保持している。しかし、このような構造では遊動ガイドが竿杆の周方向に回動することがあるため、遊動ガイドの装着筒状部の内周面と釣竿の外周面を非円形にして互いに噛み合わせて回り止めした釣竿が紹介されている。  
例えば特許文献１では、釣竿の外周面にクサビ状の突出部を設け遊動ガイドの装着筒状部の凹状の内周面と嵌合するようにしている。  
例えば特許文献２は、釣竿にリング溝を形成し、釣糸ガイドのＣ型の爪部材（装着部）をリング溝に弾発的に係合し、さらにリング溝内のピンと釣糸ガイドの爪部材の小孔とを強引に係合して釣糸ガイドを着脱可能に取り付けた釣竿が開示されている。
【先行技術文献】
【特許文献】
【０００３】
【特許文献１】実開昭５２−９５８９４号公報
【特許文献２】実開昭５６−９３１７７号公報
【発明の概要】
【発明が解決しようとする課題】
【０００４】
例えば特許文献１のような釣竿では遊動ガイドの装着筒状部の内周面と釣竿の外周面にそれぞれ凹凸が形成されているため遊動ガイドの装着筒状部が癖付けされて変形してしまったり、互いの嵌合面を傷つけ、次第に十分な回り止めができなくなる虞がある。  
また、特許文献２の、釣糸ガイドのＣ型の爪部材（装着部）を釣竿リング溝に係合し、溝内のピンに係合した釣竿は、釣竿の強度や調子が悪く、爪部材（装着部）を強引に変形して装着するため爪部材（装着部）自体の変形、癖付けが起こる可能性がある。
【０００５】
この発明は、このような課題を解決するためになされたものであり、遊動ガイドを竿杆に装着したときに、十分な回り止め性能を得ることができ、かつ、竿杆の強度や調子を変化させることを防止し、装着部の変形や癖付け、傷付きを防止できる釣竿を提供することを目的とする。
【課題を解決するための手段】
【０００６】
上記課題を解決するために、竿杆に遊動釣糸ガイドが配設された釣竿であって、前記装着筒状部は、前記竿杆の長手方向に延びる突片を有し、前記竿杆には、前記突片が弾性変形により係脱可能な係合部が設けられていることを特徴とする。  
また、前記突片と前記竿杆の係合部は、いずれか一方に凸部を、他方に凹部を設けて形成したことが好適である。  
また、前記突片は、前記装着筒状部から前記竿杆の後方に向けて突出していることが好適である。  
また、前記突片は、前記装着筒状部に形成した凹部内に設けられていることが好適である。
【発明の効果】
【０００７】
この発明によれば、遊動ガイドを竿杆の後端側に移動させて、遊動ガイドの突片と竿杆とを係合することによって、遊動ガイドを竿杆の長手方向に移動しながら所定の位置に確実に装着することはもちろん、周方向への回動を防止できる。  
突片と竿杆の係合部の一方を凸部に他方を凹部にすることによって簡単かつ確実に係合状態を得ることができる。  
突片が装着筒状部から前記竿杆の後方に向けて突出していることによって、装着筒状部の無理な変形を確実に防止できる。  
突片が装着筒状部に形成した凹部内に設けられているので、弾性変形させる部分を特定でき、装着筒状部の無理な変形を防止できる。
【図面の簡単な説明】
【０００８】
【図１】第１の実施の形態に係る振り出し式の釣竿を示す概略図。
【図２】第１の実施の形態に係る振り出し式の釣竿の穂先竿を示す概略図。
【図３】第１の実施の形態に係る振り出し式の釣竿の穂先竿の突部に対して、遊動ガイドの装着筒状部の突片を対峙させた状態を示す概略図。
【図４】第１の実施の形態に係る振り出し式の釣竿の穂先竿に遊動ガイドを取り付け又は取り外す状態を示す、図３中のＩＶ−ＩＶ線に沿う概略的な縦断面図。
【図５】第１の実施の形態に係る振り出し式の釣竿の穂先竿の突部に遊動ガイドの突片を係合させる、又は、係合を解除する状態を示す概略的な縦断面図。
【図６】第２の実施の形態に係る振り出し式の釣竿の穂先竿の突部に対して、遊動ガイドの装着筒状部の突片を対峙させた状態を示す概略図。
【図７】第３の実施の形態に係る振り出し式の釣竿の穂先竿の係合凹部に対して、遊動ガイドの装着筒状部の突片を対峙させた状態を示す概略図。
【図８】第３の実施の形態に係る振り出し式の釣竿の穂先竿に遊動ガイドを取り付け又は取り外す状態を示す、図７中のＶＩＩＩ−ＶＩＩＩ線に沿う概略的な縦断面図。
【図９】第３の実施の形態に係る振り出し式の釣竿の穂先竿の係合凹部に遊動ガイドの装着筒状部の突片を係合させる、又は、係合を解除する状態を示す概略的な縦断面図。
【発明を実施するための形態】
【０００９】
以下、図面を参照しながらこの発明を実施するための形態について説明する。  
第１の実施の形態について図１から図５を用いて説明する。  
この釣竿１０は、例えば振り出し式の磯上物竿として形成してあり、複数の竿杆１２ａ，１２ｂ，…，１２ｎ−１を順に収納可能な最も大径の元側竿杆１２ｎにリールシート１４を設け、このリールシート１４に魚釣用リール８を取り付けてある。この釣竿１０には、竿杆１２ａ，１２ｂ，…，１２ｎの外面に釣り糸が付着するのを防止する釣糸ガイド１６が、魚釣用リール８と同じ側で、釣竿１０の穂先に向けて所定間隔をおいて固定され、穂先にはトップガイド１６ａが取り付けられている。このような釣糸ガイド１６の個数および配置位置は、図示の例に限らず、任意に設定することが可能である。
【００１０】
なお、釣竿１０は、振り出し式に限らず、いんろう継ぎ、並継ぎあるいは逆並継ぎ等の適宜の継ぎ形式のものであってもよい。また、釣竿１０は複数の竿杆から形成するだけでなく、１本の竿杆でのみ形成してもよい。
【００１１】
この釣竿１０の最も先端に配置した竿杆（以下、穂先竿という）１２ａは、穂先側よりもその後方側が太径になるようにテーパ状に形成されている。穂先竿１２ａは中実又は中空構造に形成してあり、この穂先竿１２ａの先端にトップガイド１６ａが固定されている。この穂先竿１２ａが中空構造である場合、例えば強化繊維に合成樹脂を含浸させた繊維強化プリプレグ（ＦＲＰ）シートを芯金に巻回した後、硬化、脱芯等の通常の工程を経て形成される。一方、穂先竿１２ａが中実構造である場合（図４参照）は、好適な単一材料で形成した中実体で形成し、または、中実体の周部に繊維強化樹脂層を形成した構造であってもよい。なお、穂先竿１２ａは、繊維強化樹脂に代え、その全体又は一部を、例えば超弾性合金等の適宜の金属材料で形成することも可能である。
【００１２】
そして、図１および図２に示すように、穂先竿１２ａには、複数の遊動ガイド（遊動釣糸ガイド）１８が遊嵌されている。そして、穂先竿１２ａのトップガイド１６ａは、複数の遊動ガイド１８が穂先竿１２ａから抜けるのを防止する抜け止めとなっている。なお、ここでは遊動ガイド１８が穂先竿１２ａに配設されているものとして説明するが、他の竿杆に配設されていても良い。
【００１３】
図３から図５に示すように、円形の断面を有する穂先竿１２ａの外表面には、穂先竿１２ａの径方向外方に向かって突出するように、例えば合成樹脂材製の複数の突部（凸部）２２が形成されている。突部２２は遊動ガイド１８を配置（装着）したい位置の外表面に、例えば穂先竿１２ａの作製に用いるのと同様の合成樹脂、又は、穂先竿１２ａの撓りに従って伸縮可能な合成樹脂を例えば略半球状（略ドーム状）に肉盛り付着させた後、硬化させて形成している。このように突部２２を肉盛り形成すると、突部２２を容易に形成することができるとともに、突部２２と穂先竿１２ａの外表面との間に適度な強度を維持できる。また、穂先竿１２ａの剛性が長手方向で急に変化するのを防止できる。すなわち、突部２２は穂先竿１２ａの竿杆を形成した後に竿杆の表面に載せた状態で付着して硬化させて形成しているため、竿杆の強度や調子を変化させることを防止するように形成されている。  
そして、突部２２は、穂先竿１２ａ自体に周回して設けたり、穂先竿１２ａを形成する材料を削ったり、穂先竿１２ａの一部を膨出させた構造ではない。
【００１４】
なお、これら突部２２は、穂先竿１２ａのうち、例えばリール８が配設されるとともに釣糸ガイド１６が配設された側であって、穂先竿１２ａの外周面の真っ直ぐな軸上の適宜の位置（遊動ガイド１８を位置決めして装着したい位置）に形成されている。  
また、突部２２は穂先竿１２ａの装飾等を行っても良く、突部２２を容易に視認できるように適宜に着色等されていることが好ましい。
【００１５】
突部２２の直径は、遊動ガイド１８の後述する突片３８の係合凹部４０の例えば直径等の開口量よりも小さく形成されている。また、突部２２の高さ（厚さ）は、図５に示すように、装着筒状部３２の肉厚と同じか、それよりも薄く形成されていることが好ましい。  
また、各突部２２同士の大きさ（例えば直径や厚さ）は同じでも良く、異なっていても良い。異なっている場合、穂先側の突部２２はそれよりも後方側の突部２２よりも小さく形成されていることが好ましい。
【００１６】
穂先竿１２ａに遊嵌される遊動ガイド１８は、穂先竿１２ａの竿杆が挿通されて穂先竿１２ａに移動可能に取り付けられる例えば合成樹脂製の装着筒状部３２と、釣糸（図示せず）をガイドするガイドリング３４とを備えている。穂先竿１２ａに遊嵌された遊動ガイド１８の装着筒状部３２は、穂先竿１２ａのテーパ角度に沿って、後方側の開口縁部３６ａの内径が前方側の開口縁部３６ｂの内径に対して大径の略円筒状に形成されている。
【００１７】
各遊動ガイド１８の装着筒状部３２の平均内径は異なっており、穂先側に装着される遊動ガイド１８の装着筒状部３２の平均内径が後方側に装着される遊動ガイド１８の装着筒状部３２の平均内径に比べて次第に小さくなっている。このため、遊動ガイド１８の装着筒状部３２の平均内径の大きさによっては、穂先竿１２ａの突部２２を通り過ぎることができる。
【００１８】
穂先竿１２ａがテーパ状であり、遊動ガイド１８の装着筒状部３２の内周面が穂先竿１２ａのテーパ角度と同角度のテーパ状であるため、遊動ガイド１８の装着筒状部３２はその内径と穂先竿１２ａの外径が合致して遊びがなくなる所定位置（遊動ガイド１８に対応する突部２２）で長手方向後方側の移動が阻止される。すなわち、遊動ガイド１８は穂先竿１２ａの所定位置に指で摘んで動かして遊嵌状態にできるように嵌合されて装着される。このため、遊動ガイド１８の装着筒状部３２は穂先竿１２ａの長手方向に沿って移動可能な遊嵌状態で、トップガイド１６ａに近接する側とその遊動ガイド１８が移動が規制されて装着（位置決めして装着）される位置（突部２２が形成された位置）までの間を移動可能である。
【００１９】
装着筒状部３２は、後方側の開口縁部３６ａから後方に延出されたバネ性（弾性）を有する突片３８を有する。突片３８は略平板状で、穂先竿１２ａの軸方向後方側に向かって延出され、その基部側を中心に撓んで先端部側（開口縁部３６ａから離れた側）は穂先竿１２ａに対して径方向に変位して近づいたり離れたりするようになっている。ここで、遊動ガイド１８の装着筒状部３２は例えば合成樹脂で形成されている。装着筒状部３２の後方側の開口縁部３６ａから穂先竿１２ａの表面に沿って長手方向後方に向かって延びる弾性を有する突片３８は、装着筒状部３２と一体に設けられている。
【００２０】
図４および図５に示すように、突片３８は、装着筒状部３２より薄肉で剛性が小さく可撓性を有し弾性変形可能である。突片３８の内側（穂先竿１２ａの外周面側）の先端側には突部２２が係合される係合凹部（凹部）４０が形成されている。図５に示すように、突片３８の係合凹部４０は、例えば略円錐台状に形成されている。装着筒状部３２の開口縁部３６ａに対して遠位の突片３８の先端には、穂先竿１２ａの中心軸に向かって傾斜する傾斜面が係合凹部４０に連続して形成されている。この傾斜面によって、突片３８の先端には、突部２２が係合凹部４０に入るのを防止する狭小部４０ａが形成されている。狭小部４０ａは穂先竿１２ａの外周面との距離ができるだけ小さくなるように形成されているが、穂先竿１２ａの傷付きを防止するため穂先竿１２ａの外周面を押圧しない（又は接触しない）ように形成されていることが好ましい。
【００２１】
さらに、狭小部４０ａは、突片３８の先端が突部２２に当接したときに、図５に示すように容易にその上側に乗り上げるように、傾斜面に形成されている。すなわち、突片３８の先端が突部２２に当接したとき、突片３８の狭小部４０ａは突部２２に対して図５中の左斜め上方に力を受ける。このため、突片３８は装着筒状部３２の後端に対して上方に撓むように変形する。狭小部４０ａが突部２２を乗り越えると、突片３８の変形を解除するように、穂先竿１２ａの突部２２が突片３８の係合凹部４０に入り込んで係合する。
【００２２】
なお、係合凹部４０は、図５に示すように、突部２２を少しガタ付き（余裕）を持って保持するように形成されていることが好適であるが、突部２２をしっかり保持するように大きさが規定されていても良い。すなわち、係合凹部４０の形状（直径や深さ等）は適宜に設定される。  
また、係合凹部４０の先端は、突部２２が係合又は係合解除し易いように、内側から外側（開口側）が広くなるように上がり傾斜の傾斜面に形成されているが、この傾斜面は係合凹部４０の開口を一周して形成される。なお、側面は遊動ガイド１８が回動しようとしたときに突部２２が突片３８から飛び出さないように例えば立設された壁面として形成されていても良い。
【００２３】
遊動ガイド１８を穂先竿１２ａに対して装着（位置決め）する場合、穂先竿１２ａを後端側の竿杆１２ｂに対して伸ばしながら釣竿１０を立てるなどして、遊動ガイド１８を穂先側から後端側に移動させる。このとき、複数の遊動ガイド１８のうち、装着筒状部３２の内径に対して、穂先竿１２ａの突部２２が形成された部分の外径が小さい場合、遊動ガイド１８の装着筒状部３２はその突部２２の上を通り過ぎて、さらに後方側の突部２２に向かう。
【００２４】
そして、穂先竿１２ａの外周面および遊動ガイド１８の装着筒状部３２の内周面は同角度のテーパ状に形成されているので、遊動ガイド１８が取り付けられる突部２２よりもやや穂先側で遊動ガイド１８の装着筒状部３２の内周面と穂先竿１２ａの外周面との間の隙間が目視できなくなるほど小さくなり、装着筒状部３２の内周面と穂先竿１２ａの外周面が次第に強く接して徐々に遊動ガイド１８の移動が阻止される。すなわち、穂先竿１２ａに対して遊動ガイド１８が仮止めされる。
【００２５】
仮止めした遊動ガイド１８を指で摘むなどして、穂先竿１２ａの突部２２を目視や手触り等で知覚しながら遊動ガイド１８の装着筒状部３２の突片３８を穂先竿１２ａの突部２２に対峙させる（図３および図４中の２点鎖線参照）。そして、突部２２の位置を保った状態で遊動ガイド１８を穂先竿１２ａの後端側に移動させる。このとき、突片３８の先端の狭小部４０ａによって突部２２が係合凹部４０に配設されることが阻止されているが、図５に２点鎖線で示すように、突片３８の狭小部４０ａが上側に撓んで（弾性変形して）突部２２の上に乗り上げる。
【００２６】
そして、突部２２に対して遊動ガイド１８の装着筒状部３２がさらに穂先竿１２ａの後端側に移動すると、装着筒状部３２が穂先竿１２ａに対して保持力を増すことができるとともに、突片３８の係合凹部４０に突部２２が係合して、穂先竿１２ａに対して遊動ガイド１８が周方向に移動するのを規制することができる。すなわち、穂先竿１２ａに対して遊動ガイド１８が回り止めされる。
【００２７】
このとき、装着筒状部３２には、後方側の開口縁部３６ａから後方に延出された突片３８が形成されているだけであるので、筒状の装着筒状部３２自体が無理に変形することが防止された状態で遊動ガイド１８を穂先竿１２ａの所定の位置に位置決めされて装着することができる。このため、遊動ガイド１８を穂先竿１２ａに装着したときなどに穂先竿１２ａに傷を付けることを防止できる。そして、突片３８の狭小部４０ａと穂先竿１２ａの外周面との間には僅かな隙間があるので、穂先竿１２ａの傷付きも防止される。
【００２８】
このように位置決めされた状態で装着された遊動ガイド１８は、穂先竿１２ａの突部２２を突片３８の係合凹部４０に受け入れ、かつ、穂先竿１２ａに対する遊動ガイド１８の周方向の移動を規制しているので、実釣時に穂先竿１２ａが撓ったり、釣糸によってガイドリング３４を介して装着筒状部３２に力（周方向の力）が加えられたとしても、遊動ガイド１８が穂先竿１２ａに対して弛んだり、回動することがより確実に防止される。
【００２９】
一方、穂先竿１２ａに遊動ガイド１８を装着した状態を解除する場合、遊動ガイド１８を指で摘んで、穂先竿１２ａに対して揺らしたり、周方向に回したりしながら、相対的に穂先側に移動させる。このとき、突片３８は狭小部４０ａが突部２２を乗り越えるように弾性変形することによって穂先竿１２ａに対する保持力を弱め、穂先竿１２ａと遊動ガイド１８との係合を解除できる。したがって、保持力解除の力を確実に穂先竿１２ａに伝達して、遊動ガイド１８を穂先竿１２ａから位置決め装着した状態を解除できる。
【００３０】
突片３８の係合凹部４０は、穂先竿１２ａの突部２２が余裕を持って係合するように穂先竿１２ａの突部２２より大きく形成し、また、係合凹部４０は内周部に傾斜面を有しているため、ある程度の力で遊動ガイド１８を移動させると穂先竿１２ａの突部２２が突片３８の係合凹部４０の傾斜面に当たって押圧し突片３８を変形させながら両者の係合を解除する。  
なお、突片３８が弾性変形しながら突部２２と係合凹部４０が係合及び係合解除されるため、節度感があり、この時の振動が手に伝わるため、遊動ガイド１８が穂先竿１２ａに装着、装着を解除したことが明確に釣り人に伝わる。
【００３１】
この実施の形態では、図５に示すように突片３８を穂先竿１２ａから離れた位置（突片３８を装着筒状部３２の外周面に面一）に形成する場合について説明したが、突片３８は穂先竿１２ａの外周面に沿うように形成されていることも好ましい。  
また、突部２２は釣竿１０の使用により減る（次第に削られる）ことがあるが、突部２２は竿杆の外周に肉盛り等されて形成される部分であり、竿杆の構造に影響を受けない部分である。そして、使用により突部２２が薄肉となった場合は残りの突部２２を削るなどして除去した後、再度合成樹脂等を略ドーム状に肉盛り等して容易に補修（再作製）することができる。
【００３２】
次に、第２の実施の形態について図６を用いて説明する。この実施の形態は第１の実施の形態の変形例である。
【００３３】
この実施の形態は、第１の実施の形態で説明したように、突片３８を装着筒状部３２の後方側の開口縁部３６ａから後方に延出させる例ではなく、後方側の開口縁部３６ａに連続して形成されているが、後方側の開口縁部３６ａと前方側の開口縁部３６ｂとの間に突片３８を形成した例である。
【００３４】
図６に示すように、装着筒状部３２には、１対のスリット（凹部）５２ａ，５２ｂが形成されている。これらスリット５２ａ，５２ｂの間の部分（以下、突片３８と称する）は弾性変形可能である。そして、この突片３８には、穂先竿１２ａの外周面に近接する側に係合凹部４０が形成されている。これによって、突片３８の釣糸の絡みが防止される。
【００３５】
一方、穂先竿１２ａの外周面には突部２２が形成されている。このため、第１の実施の形態で説明したように、突部２２を突片３８の係合凹部４０に係合させることができる。
【００３６】
突片３８が装着筒状部３２に形成したスリット（凹部）５２ａ，５２ｂの内側に設けられているので、装着筒状部３２のうち、弾性変形させる部分を特定できる。したがって、装着筒状部３２の無理な変形を防止できる。このため、遊動ガイド１８により穂先竿１２ａの外周面を傷付ける等の不具合を防止できる。
【００３７】
また、この実施の形態では、突片３８を装着筒状部３２にスリット５２ａ，５２ｂを設けることによって形成する場合について説明したが、この場合の突片３８は、第１の実施の形態で説明した突片３８よりも厚肉に形成されている。
【００３８】
このため、第１の実施の形態で説明した突片３８よりも変形し難くすることができる。したがって、第１の実施の形態で説明した突片３８よりも大きな力で突部２２を確実に係合し、保持することができる。
【００３９】
次に、第３の実施の形態について図７から図９を用いて説明する。この実施の形態は第１および第２の実施の形態の変形例である。  
図７から図９に示すように、突片３８の先端には、係合凹部４０の代わりに、穂先竿１２ａの中心軸に向かって突出する突部（凸部）６２が形成されている。突部６２は通常、穂先竿１２ａの外周面に接触しないことが好ましい。
【００４０】
一方、穂先竿１２ａの外周面には、突部２２の代わりに、中心に凹部を有する例えばすり鉢状やリング状の係合凹部６４ａを有する突状部（肉盛り部）６４が設けられている。この突状部６４は、第１および第２の実施の形態で説明した突部２２と同様に、合成樹脂により形成されている。そして、この突状部６４の係合凹部６４ａは突部６２を受け入れる（係合する）大きさに形成されている。  
すなわち、第１および第２の実施の形態とは逆に、突片３８の内側に突部を形成し、穂先竿１２ａの表面に係合凹部を設けることもできる。
【００４１】
係合凹部６４ａは、穂先竿１２ａの外表面に合成樹脂で肉盛りして突状部６４を形成し、この肉盛り部の中央に内周に向かって下りの傾斜面を有するすり鉢状の凹部を形成する。その他、Ｏリング状の部材を穂先竿１２ａの外表面に合成樹脂や接着剤等により固定することも好ましい。
【００４２】
突部６２および係合凹部６４はいずれの方向からでも係合、係合解除できる。すなわち、穂先竿１２ａの周方向に遊動ガイド１８を回動させながら長手方向に移動させることによって、突部６２および係合凹部６４を係合し又は係合解除できる。
【００４３】
第１から第３の実施の形態で説明したように、突片３８に凹部（係合凹部４０）を設けても良いし、凸部（突部６２）を設けても良い。逆に、穂先竿１２ａに凸部（突部２２）を設けても良いし、凹部（係合凹部６４）を設けても良い。このため、遊動ガイド１８に対する穂先竿１２ａの係合形状を適宜に選択できる。  
また、突片３８は各遊動ガイド１８の装着筒状部３２に１つずつ設けた例について説明したが、複数設けられていても良い。その場合、突部２２や係合凹部６４も対応して複数設けられる。また、この場合は竿杆の同一周に複数の突部２２や係合凹部６４が設けられる。
【００４４】
これまで、いくつかの実施の形態について図面を参照しながら具体的に説明したが、この発明は、上述した実施の形態に限定されるものではなく、その要旨を逸脱しない範囲で行なわれるすべての実施を含む。
【符号の説明】
【００４５】
１２ａ…穂先竿、１８…遊動ガイド、２２…突部、３２…装着筒状部、３４…ガイドリング、３６ａ…後方側の開口縁部、３６ｂ…前方側の開口縁部、３８…突片、４０…係合凹部、４０ａ…狭小部。
【図１】
2011010578.tif 000003
【図２】
2011010578.tif 000004
【図３】
2011010578.tif 000005
【図４】
2011010578.tif 000006
【図５】
2011010578.tif 000007
【図６】
2011010578.tif 000008
【図７】
2011010578.tif 000009
【図８】
2011010578.tif 000010
【図９】
2011010578.tif 000011